(57)【特許請求の範囲】
【請求項１】
個々に制御可能な少なくとも第１の光源群および第２の光源群として配置された複数の光源と、
前記第１の光源群からの光を収集し、前記収集した光を複数の光源ビームに変換する複数の集光手段と、を備えており、
前記複数の光源および複数の集光手段は、前記光源ビームが出るハウジング内に配置されており、前記ハウジングは拡散カバーを備えており、前記拡散カバーが、
前記第２の光源群が生成した光を受け入れ、前記受け入れた光を拡散する少なくとも１つの拡散領域と、
前記複数の光源ビームの少なくとも一部が拡散せずに通過する少なくとも１つの非拡散領域とを含み、
前記非拡散領域は、前記集光手段の上方に配置されたクリア領域であることを特徴とする、照射装置。
【請求項２】
前記拡散領域の少なくとも１つが、少なくとも２つの非拡散領域の間に位置することを特徴とする、請求項１に記載の照射装置。
【請求項３】
前記第２の光源群の少なくとも１つが、前記第１の光源群の少なくとも２つの間に位置することを特徴とする、請求項１または２に記載の照射装置。
【請求項４】
前記第１の光源群および前記第２の光源群を個々に制御するように構成された制御手段を備えていることを特徴とする、請求項１〜３のいずれか１項に記載の照射装置。
【請求項５】
前記制御手段は、第１の目標色を示す入力信号に基づいて、前記第１の光源群を制御するように構成されていることを特徴とする、請求項４に記載の照射装置。
【請求項６】
前記制御手段は、前記第１の目標色に基づいて、前記第２の光源群を制御するように構成されていることを特徴とする、請求項５に記載の照射装置。
【請求項７】
前記制御手段は、第２の目標色を示す前記入力信号に基づいて、前記第２の光源群を制御するように構成されていることを特徴とする、請求項４または５に記載の照射装置。
【請求項８】
前記拡散カバーの少なくとも一部が前記ハウジングから突出していることを特徴とする、請求項１〜７のいずれか１項に記載の照射装置。
【請求項９】
前記少なくとも１つの非拡散領域は、前記集光手段の上方に配置されたアパーチャであることを特徴とする、請求項１〜８のいずれか１項に記載の照射装置。
【請求項１０】
前記集光手段に対して可動し、前記光源ビームの少なくとも１つの分岐を変化するように構成されたズームレンズをさらに備えていることを特徴とする、請求項１〜９のいずれか１項に記載の照射装置。
【請求項１１】
ベースと、
前記ベースに回転自在に接続されているヨークと、
前記ヨークに回転自在に接続されているヘッドと、を備えており、
前記ヘッドが、請求項１〜１０に記載の照射装置を備えていることを特徴とする、可動ヘッド照明器具。
【請求項１２】
少なくとも第１の光源群および第２の光源群に、複数の光源を配置するステップと、
前記第１の光源群からの光を収集し、前記収集した光を複数の光源ビームに変換する複数の集光手段に適応する前記複数の光源ビームを生成するステップと、
前記光源ビームの少なくとも２つの間に拡散手段を提供し、前記第２の光源群が生成した光を受け入れ、前記受け入れた光を拡散するように前記拡散手段を適応させることにより、前記光源ビームの少なくとも２つの間の領域を明るくするステップと、
少なくとも１つの非拡散領域においては、前記光源ビームの少なくとも一部が前記光源ビームを拡散することなくクリア領域を通過できるステップを含むことを特徴とする、照射装置の制御方法。
【請求項１３】
第１の目標色に基づいて前記第１の光源群を制御するステップと、
第２の目標色に基づいて前記第２の光源群を制御するステップと、を含むことを特徴とする、請求項１２に記載の方法。
【請求項１４】
前記第１の目標色に基づいて前記第２の目標色を決定するステップを含むことを特徴とする、請求項１３に記載の方法。
【発明の詳細な説明】
【技術分野】
【０００１】
本発明は、ハウジングに配置された複数の光源および複数の集光手段を備える照射装置に関する。複数の集光手段は、少なくとも１つの光源からの光を収集し、収集した光を複数の光源ビームに変換し、その光源ビームがハウジングから射出される。
【背景技術】
【０００２】
生演奏ショー、テレビ番組、スポーツイベントに関連する種々の照明効果およびムード照明を作り出すため、または構造上の設備の一部として、種々の効果を生み出す照明器具が娯楽産業においてますます使用されてきている。
【０００３】
娯楽業界の照明器具は、典型的には、ビーム幅および広がりを有する光ビームを生成し、例えば、配光が均一の比較的幅広い光ビームを生成するウォッシュまたはフラッド照明器具でもよいし、ターゲット表面にイメージを投影するように構成された輪郭照明器具でもよい。この種の器具は、各ショーまたは各設定においてますます使用される傾向があり、結果として、その産業分野において、またはテレビ視聴者にますます認知されてきている。照明器具は、通常、照明器具それ自体から一定距離離れた位置に照明効果を生み出すため、興味をそそられず、外観の美観に優れていない。この結果、器具の製造業者は、外観の関心を高めるために、美的デザインを考慮した器具の提供を試みている。しかしながら、これは非常に困難である、というのは、通常、器具のハウジングが、例えば、光学、力学、エレクトロニクス、冷却などの、器具の技術的な指定事項により規定された物理的要件に応じて制限されるからである。
【０００４】
単一光源の代わりに複数のＬＥＤを使用する場合に、ＬＥＤ構成要素は光源として、最大の照明光の外観を変化させてきた。これは、一般、国内、工業、娯楽などの全ての照明産業において暗に認識されている。最も明確な変化は、現在では全ての複数の光源が観察者から視認され、より広い領域から光が出ることである。現在では、大抵のＬＥＤ器具は可視ＬＥＤを備えており、一部の顧客は複数の光点の視認を好まない。光源からの極端な光量による粗悪な「見世物」の外観を回避するために、均一性の向上の代わりに、光の放出さえも要求される。ドット状の「見世物」は、ハウジングから光を出す前に色を混合する照明器具に加えて、空中または壁において色を混合する照明器具にも見受けられる。
【発明の概要】
【発明が解決しようとする課題】
【０００５】
本発明の目的は、先行技術に関する前述の制限を解決することである。これは、独立クレームに記述する照射装置および方法により達成される。従属クレームは本発明の可能な実施形態を記述する。本発明の利点および恩恵は、本発明の詳細な説明に記述される。
【図面の簡単な説明】
【０００６】
【図１ａ−１ｂ】先行技術に係る、可動ヘッド照明器具を例示する図である。
【図２ａ−２ｃ】本発明に係る、照射装置の実施形態を示す図である。
【図３ａ−３ｂ】図１ａおよび図１ｂの照射装置を改良した、本発明に係る照射装置を示す図である。
【図４ａ−４ｃ】本発明に係る、照射装置の別の実施形態を示す図である。
【図５】本発明に係る、照射装置を示すブロック図である。
【発明を実施するための形態】
【０００７】
本発明は、光ビームを生成する複数のＬＥＤを含む可動ヘッド照明器具であると考慮して記述される。ただし、本発明が、例えば、放電ランプ、ＯＬＥＤ、プラズマ源、ハロゲン源、蛍光光源、および／またはそれらの組み合わせなどの任意の種類の光源を用いた照射装置に関連することを当業者は理解する。図示した実施形態は簡易化され、正確な実施形態を示すよりもむしろ本発明の原理を示すことが理解される。それ故、本発明が複数の異なる方法で具体化され得、示す構成要素に加えてさらなる構成要素を備え得ることを当業者は理解する。
【０００８】
図１ａおよび図１ｂは先行技術に係る照射装置を示す。図１ａは斜視図であり、図１ｂは分解図である。照射装置は可動ヘッド照明器具１０１であり、ベース１０３、ベースに回転自在に接続されているヨーク１０５、およびヨークに回転自在に接続されているヘッド１０７を備えている。
【０００９】
図示した実施形態では、ヘッドは、ヘッドハウジング１１１に配置された複数の光源および複数の集光手段１０９を備えている。集光手段は、光源からの光を収集し、収集した光を複数の光源ビーム１１３（１つのみを示す）に変換し、これがハウジングから射出される。
【００１０】
図示した実施形態では、ヘッドハウジング１０７は「バケツ」型のヘッドハウジング１１１であり、（ヘッドの後側から視認される）表示部１１５、メインＰＣＢ１１７（プリント基板）、ファン１１９、ヒートシンク１２１、ＬＥＤ  ＰＣＢ１２３、およびレンズ組立体が積層されている。ＬＥＤ  ＰＣＢ１２３は複数のＬＥＤ１２４を備えており、レンズ組立体はレンズホルダ１２５およびレンズアレイを備えており、レンズは集光手段１０９を構成する。各集光手段は、各ＬＥＤの光の形態を収集し、収集した光を複数の光源ビーム１１３に変換するように構成されている。ヘッドは、２個の傾斜ベアリング１２７によりヨークに回転自在に接続されており、ヨーク１０５に支持されている。傾斜モータ１２９は、傾斜ベアリング１２７の１つに接続されている傾斜ベルト１３１を手段としてヘッドを回転するように構成されている。ヨークは、傾斜ベアリング、傾斜モータ、パンモータおよび全ベアリングが配置されたヨークフレーム１３４に取り付けられた、２つの噛み合ったヨーク構造部１３２を備えている。ＬＥＤ  ＰＣＢ１２３は光を出す複数のＬＥＤを備えており、レンズアレイの集光手段１０９と協働して複数の光源ビームを生成する。メインＰＣＢは、照射装置に関わる業界で周知の方法でＬＥＤを制御する制御回路および駆動回路（不図示）を備えている。メインＰＣＢは、ヘッドハウジング１１１における複数の穴を通り延伸する複数のスイッチ（不図示）をさらに備えている。スイッチおよび表示部はユーザインターフェースとして機能し、これにより、ユーザが可動ヘッド照明器具と交信可能になる。
【００１１】
ヨークは、ベース１０３に回転自在に接続されている全ベアリング１３３に接続されている。パンモータ１３５は、全ベアリング１３３に接続されているパンベルト１３７を手段として、ヨークを回転するように構成されている。ベースは、娯楽照明に関わる業界で周知のＤＭＸ信号用の５ピンＸＬＲオスコネクタ１３９およびメスコネクタ１４１、入力コネクタ１４３および出力コネクタ１４５、電源ＰＣＢ（不図示）、およびファン（不図示）を備えている。ファンは通気口１４７を通じてベース内に空気を送り込む。
【００１２】
この先行技術の照射装置は、広く用いられる光源として周知の従来のＬＥＤ構成要素の導入のように、単一光源の代わりに複数のＬＥＤを使用する。ただし、このような照射装置は、ここで複数の光源が観察者に視認され、より広い領域から光が出る場合には、その外観を変化させる。照明光が単色ＬＥＤによる色混合バージョンである場合には、用いられる全てのＬＥＤ色が視認される。しかしながら、一部の顧客は複数の光点の外観を好まない。光源からの極端な光量による粗悪な「見世物」の外観を回避するために、均一性の向上の代わりに、光の放出さえも要求される。
【００１３】
図１ａおよび図１ｂに示す照射装置は先行技術の照射に関わる派生装置の単なる例であり、既存の複数の製造業者により、複数の種々の実施形態が提供されることを当業者は理解する。
【００１４】
図２ａ〜図２ｃに、本発明に係る、照射装置２０１の簡易化された実施形態を示す。図２ａは上面図であり、図２ｂは、線Ａ−Ａに沿う断面図であり、図２ｃは、拡散カバーを取り外した上面図である。
【００１５】
照射装置２０１は、第１の光源群２０３（白い四角で示す）、および第２の光源群２０５（黒い四角で示す）に配置された複数の光源を備えている。光源はＰＣＢ２０７（プリント基板）に取り付けられており、光源の２つの群は、例えば、照明業界で周知の方法により、コントローラ（不図示）を用いて個々に制御され得る。それ故コントローラは、個々に制御され得る少なくとも２つの個々の光源として、光源の２つの群を処理するように構成される。ただし、照射装置もまた、光源の各群を、これもまた個々に制御され得る複数の下位群に分割するように構成され得、各単一光源を個々に制御可能なことを当業者は理解する。複数の集光手段２０９が第１の光源群２０３の上方および周囲に配置され、第１の光源群からの光を収集し、収集した光を複数の光源ビーム２１１に変換するように構成されている。集光手段２０９は、光源からの光を収集し、その光を光ビームに変換可能な任意の光学的部品として具体化され得、例えば、光学レンズ、光混合器、ＴＩＲレンズなどでもよい。図示した実施形態では、集光手段２０９は、先行技術で周知のＴＩＲレンズとして具体化され、ＴＩＲレンズが、光源の光出力および光源ビーム２１１の前述の光学的特性に応じて設計され得ることを当業者は理解する。光ビーム２１１は、照射装置までの距離が長い場合には１つの大きな光ビームに結合する。
【００１６】
照射装置は、ＰＣＢ２０７の上方に配置された拡散カバー２１３を備えている。拡散カバーは、少なくとも１つの拡散領域２１５および少なくとも１つの非拡散領域２１７を備えている。拡散領域２１５は、第２の光源群２０３が生成した光を受け入れ、受け入れた光を、矢印２１９に示す複数の方向に拡散する。この結果、光ビーム間の領域は、第２の光源群が出す色と別の色を有し得、新規の照明効果が生み出される。娯楽照明に関わる業界で周知のように、第１の光源群および第２の光源群が個々に制御される場合には、これは動的に見える。第２の光源群もまた、第１の群が出す光と実質的に同じ色の光を出すように構成され得る。これにより、照射装置の表面は、同じ色の一表面のように見える。拡散領域は非拡散領域の間に位置し得る。この配置では、非拡散領域間の領域が、非拡散領域を通じて照射装置から出る光ビーム２１１と実質的に同じ色であるため、ドット状の外観を示さないことができる。
【００１７】
第２の光源群は独自のＤＭＸ制御を有する背景光として機能し得、色およびその強さの両方が、第１の光源群とは独立して変化し得る。これらは所定の方法により、第１の目標色に関連する色およびその強さに制御されてもよいし、対比色または他の色の強さに関連して個々に制御されてもよい。光源のこの調節および制御は、離れた中央制御装置によって行われてもよいし、器具自体が行ってもよい。
【００１８】
本発明は、例えば、ＬＥＤ  ＰＣＢ１２３における元のＬＥＤ１２４の間に第２の光源群を配置し、これらの光源からの光を、レンズホルダ１２５間に位置する領域１２６を利用して拡散させることにより、図１ａおよび図１ｂに示す先行技術の照射装置と統合され得る。
【００１９】
図３ａおよび図３ｂは、それぞれ、図１ａおよび図１ｂの照射装置を改良した、本発明に係る照射装置の斜視図および側面図である。
【００２０】
この実施形態では、集光手段１０９間のレンズホルダ１２５に複数のＬＥＤ３０１（黒い四角で示す）が取り付けられている。これは例えば、集光手段が配置され得る複数の穴を有するＰＣＢとしてレンズホルダを具体化するか、ＰＣＢを元のレンズホルダに追加することにより達成され得る。元のＬＥＤ１２４（図１ｂ参照）および追加のＬＥＤ３０１は、それぞれ、個々に制御され得る第１の光源群および第２の群として機能するように構成される。
【００２１】
さらに、ヘッドハウジングは、少なくとも１つの拡散領域３１５および少なくとも１つの非拡散領域３１７を含む拡散カバー３０３（図３ａではハウジングと分解し、図３ｂでは取り付けて示す）を備えている。拡散領域３１７は、第２の光源群が生成した光の少なくとも一部を受け入れ、受け入れた光を、矢印３１９（簡潔さのため図１ｂにのみ示す）に示す方向に拡散する。複数の光源ビーム１１３の少なくとも一部は、拡散せずに非拡散領域３１５を通過する。簡潔さのために、光源ビームの一部のみを示すことに留意されたい。この結果、非拡散領域および拡散領域両方から光が出て、レンズ間の領域がＬＥＤからの既存の内部迷光により照らされ、周囲に拡散するときに、拡散カバーに光を照射することにより、ＬＥＤ正面にドット状の外観が現れない。
【００２２】
拡散カバー３０３の少なくとも一部はハウジングから突き出る。この結果光の一部は、（矢印３１９ａに示すように）光源ビームに対して横向きおよび後方に拡散する。拡散カバーの拡散領域は、表面後方および側面の両方から照らされ得るため、導光として機能する。この結果、照明器具は複数の角度から視認され得、突出している拡散カバーにより、照明器具は新規の照明効果を与える。
【００２３】
非拡散領域は、集光手段の上方に配置された透明平面のようなクリア領域として具体化され得る。このようなクリア透明平面により、光源ビームは拡散しなくても通過できる。ただし、クリア領域は、光源ビームのビーム広がりを調整しつつ、出射した光ビームがなおも明確な光ビームであるように構成され得る。それ故拡散カバーは、その表面をエッチングすることにより拡散領域を生成するクリアポリマにより具体化され得る。拡散領域はまた、拡散領域となる位置の領域をコーティングすることによっても生成され得る。拡散カバーはさらに、その鋳型の構成が非拡散領域および拡散領域を規定するようにモールドされ得る。非拡散領域はまた、集光手段の上方に配置されたアパーチャまたは切り抜きとしても具体化され得る。
【００２４】
拡散カバーには、ユーザが照射装置に拡散カバーを取り付け可能になる締結手段がさらに備えられ得る。それ故拡散カバーは、標準構成要素としても、任意の付属品としても備えられ得る。
【００２５】
図４ａ〜図４ｃは、本発明に係る照射装置の別の実施形態を示す。図４ａは斜視図であり、図４ｂはヘッドの分解図であり、図４ｃはヘッドの断面図である。照射装置は可動ヘッド照明器具４０１であり、ベース４０３、ベースに回転自在に接続されているヨーク４０５、およびヨークに回転自在に接続されているヘッド４０７を備えている。
【００２６】
図示した実施形態では、ヘッド４０７は、相互接続してヘッドハウジングを構成する前面ハウジング４０９および後部ハウジング４１１を備えている。ヘッドハウジング内部には、以下の構成要素が配置される。
表示部４１３（ヘッドの後側から視認される）
ファン４１５
メインＰＣＢ４１７
空気ガイド４１９
ヒートシンク４２１
第１のＬＥＤ  ＰＣＢ４２３
集光組立体４２５
複数のズームモータ４２７
第２のＬＥＤ  ＰＣＢ４２９
拡散カバー４３１
ズームレンズ４３３
【００２７】
ファンは、ハウジングの後側からメインＰＣＢ４１３および空気ガイド４１９を通り空気を吹き込むように構成される。空気ガイドは、ハウジングから半径方向に抜け出た後の吹き込まれた空気をヒートシンク４２１の中心部に導くように構成される。この結果、第１のＬＥＤ  ＰＣＢ４２３から熱が消散し得る。第１のＬＥＤ  ＰＣＢ４２３は、ＬＥＤの第１の群として配置された複数の第１の型のＬＥＤ４２４（図４ｃにのみ示す）を備えている。集光組立体４２５は、保持手段４３７に配置された複数の集光手段４３５を備えている。各保持手段４３７は、第１の型のＬＥＤ各々の上方に各集光手段を配置するように構成される。この実施形態では、第１の型のＬＥＤは、赤色ダイ、緑色ダイ、青色ダイおよび白色ダイを備えている４イン１ＲＧＢＷ  ＬＥＤであり、各集光手段は、第１の型のＬＥＤからの光を収集かつ混合し、収集した光を光ビームに変換するように構成される。それ故、複数の光ビーム４３８（図４ａにのみ示す）は、第１の型のＬＥＤおよび集光器によって生成される。集光器の具体化は、例えば、出願人により出願された出願継続中のデンマーク特許出願第２０１０  ７０５８０号に記述されており、参照により本明細書に組み込まれる。
【００２８】
保持手段４３７の下部における第１のＬＥＤ  ＰＣＢ４２３の上方に、第２のＬＥＤ  ＰＣＢ４２９が配置される。このＬＥＤ  ＰＣＢは、複数の第２の型のＬＥＤ（不図示）を備えており、集光手段４３５が通り、保持手段４３７の上部が通過し得る複数の穴４３９が形成されている。この実施形態では、第２の型のＬＥＤは、赤色ダイ、緑色ダイ、青色ダイおよび白色ダイを備えている４イン１ＲＧＢＷ  ＬＥＤである。第１の型のＬＥＤと比較して、第２の型のＬＥＤは低出力であるため、要求される冷却は小さくてよい。ただし、第１の型のＬＥＤと等しい第２の型のＬＥＤを用いてもよいことを当業者は理解する。
【００２９】
第２のＬＥＤ  ＰＣＢ４２９の上方には拡散カバー４３１が配置されており、ここに集光手段４３５の上部が配置される、穴４４１として具体化された複数の非拡散領域が形成される。それ故、第１の型のＬＥＤが生成する光ビームは、拡散せずに拡散カバーを通過する。対照的に、第２の型のＬＥＤからの光は拡散カバー４３１に衝突して拡散し、この結果、拡散カバー４３１は１つの照射面として見える。
【００３０】
照射装置は、複数のロッド４４３を通じて複数のズームモータ４２７に接続されているズームレンズ４３３をさらに備えている。ズームレンズ４３３は、ズームモータ４２７により、矢印４４５に示すように前後に移動し得る。この実施形態では、ズームレンズは複数の光学レンズ４４７を備えており、各光学レンズ４４７は、集光手段から出る光ビームの広がりを変化するように構成される。この結果、ズームレンズを前後に動かすことにより、光ビームの広がりを変化させ得る。ズームレンズは、ポリマまたはプラスチックなどの１つの透明の固形体として具体化され、拡散光がズームレンズを通過するときに１つの照射面として見える。光学レンズ４４７間の領域には、周囲からの光の同一方向への反射を防ぐ角を成す面４４９が配置され、照射装置の視認性をより優れたものにする。ズームレンズが、例えば、１つの共通光学レンズとして、複数の異なる方法で具体化され得ることが理解される。光学レンズ４４７間の領域４４９が第２の型の光源が生成した光を受け入れかつ拡散するように構成され得る拡散カバーとしてもズームレンズが具体化され得ることがさらに理解される。この結果、このような実施形態では、拡散カバー４３１を取り外してもよい。
【００３１】
ヨークおよびベースは、例えば、図１ａおよび図１ｂに示すような先行技術で周知の方法で具体化してもよい。ただし、当業者は、これらの部品を複数の異なる方法で構成できる。
【００３２】
図５に、本発明に係る照射装置のブロック図を示す。照射装置は、プロセッサ５０３およびメモリ５０５を含む制御ユニット５０１を備えている。第１の光源群５０７および第２の光源群５０９は制御ユニット５０１に接続されており、本発明に従い配置される。プロセッサは制御手段として機能し、第１の光源群５０７および第２の光源群を個々に制御するように構成される。処理手段は、光源の一方の群を制御すること無く、他方の群を制御可能な手段として意図される。制御手段は、例えば、光源の色および／またはその強さを制御し、例えば、ＰＷＭ、ＡＭ、ＦＭ、二値信号などの照明業界で周知の任意の種類の通信信号に応じて構成され得る。光源アレイの第１の群５０７および第２の群５０９は、それ故、互いとは独立して個々に制御され得、２つ別々に、他方の光源の群と独立して処理され得る。各群の個々の光源が、個々の制御信号と共に提供される同一の制御信号によって制御され、かつ／または同一の制御信号を受け入れる各下位群において分類されることが理解される。
【００３３】
一実施形態では、制御手段は、第１の光源群の第１の目標色を示す入力信号５１１に基づいて第１の光源群を制御するように構成される。入力信号５１１は、パラメータを通信可能な任意の信号でもよく、例えば、ＡＮＳＩ  Ｅ１．１１およびＡＮＳＩ  Ｅ１．２０規格により保護されるＲＤＭを含むプロトコルＵＳＩＴＴ  ＤＭＸ５１２、ＵＳＩＴＴ  ＤＭＸ５１２  １９９０、ＵＳＩＴＴ  ＤＭＸ５１２−Ａ、ＤＭＸ−５１２−Ａのうちの１つまたはＷｉｒｅｌｅｓｓ  ＤＭＸに基づき得る。ＡＣＮは、制御ネットワーク用のアーキテクチャを指定する（ＡＮＳＩ  Ｅ１．１７−２００６）。
【００３４】
入力信号は、例えば、ＲＧＢ値、配色表における色座標などの、第１の光源群が生成する光の色を規定する任意のパラメータである第１の目標色を示し得る。制御手段は、第１の目標色を示す入力信号に基づいて第２の光源群を制御するように構成され得る。これにより、第２の光源群は、第１の光源群が生成した色と実質的に同じ色を生成するように構成され得る。ただし、第２の光源群の色が相違するが、所定の色彩設計に従い互いに美観が調和するように、第２のアレイの色を調整することにより色彩設計を完全にすることも可能である。また、入力信号は第２の目標色を示してもよく、第２の光源群の色は第２の目標色パラメータに基づいて制御され得る。
【００３５】
照射装置が、種々の効果を生み出すために用いられ得るさらなる光源の群を備え得ることを当業者は理解する。例えば、光源の第３の群５１１が、他の２つの光源の群と同じ方法で制御され得る。
【００３６】
光源の第２および第３の群は、独自のＤＭＸ制御を有する背景光として機能し得、色およびその強さの両方が、第１の光源群とは独立して変化し得る。これらは所定の方法により、初期のＬＥＤ色に関連する色およびその強さに制御されてもよいし、対比色または他の色の強さに関連して個々に制御されてもよい。光源のこの調節および制御は、離れた中央制御装置によって行われてもよいし、器具自体が行ってもよい。この結果、光ビーム間の領域は、第２の光源群が出す色と別の色を有し得、新規の照明効果が生み出される。娯楽照明に関わる業界で周知のように、第１の光源群および第２の光源群が個々に制御される場合には、これは動的に見える。
【００３７】
以下の点に留意されたい。
本発明は、マルチチップＬＥＤおよび単色ＬＥＤの両方に適用される。
本発明は、輪郭およびウォッシュ照明器具の両方に適用される。
本発明は、あらゆる光源技術に適用される。
本発明は、見物者に視認される、複数のＬＥＤレンズを備えたＬＥＤ照明器具のドット状の外観を消去または最小化する。
第２の光源群は、器具における新規の追加の効果特徴、および注意を引き付ける策略としての機能の両方として用いられ得るが、より重要には、複数のユニットのセットアップにおいて用いられる場合に、個々の画素として用いられる。それ故、中空ビームおよび照らし表面の両方に利用される。
また、第２の光源群は、エラーまたは他の器具の状態情報の表示にも用いられ得る。
本発明は、単なる正面からだけでなく、他の角度から視認される光および色を生成できる。
周囲に従い反応する照明器具の相互作用的な部品として、補助的な光源を用いてもよい。
本発明に係る照射装置は、複数のユニットのセットアップ（例えば、大規模行列）において器具を用いる場合に、主要な光源の電源を切るか、明かりを落とすことができる。これにより、照明器具は自動中空ビームから変化させて、きらめくが、まばゆく無い表面を含む図形画素を形成できる。適切な効果を有する発電機制御（例えば、メディアサーバ）は、その後、完全な器具セットアップにおいて、映像内容または単色波、およびパターンを表示できる。
ユーザは、同一の器具において２つの個々の光シーケンスまたはメディアコンテンツを起動できる。例えば、第１の光源群が生成した１つのコンテンツと、第２の光源群が生成した別のコンテンツとを起動できる。
エラーメッセージまたは器具状態は、色、色の組み合わせ、フラッシュ、または補助的な光源による他の効果を通じて通信され得る。
内部または外部センサまたは追跡技術を用いて、補助的な光源は、既定の反応パターン（色、その強さまたは閃光）に従い動作し得る。入力は、人の動作、温度変化、室内照明レベル、湿度などに関連し得る。
【図１ａ】
0005467175.tif 000002
【図１ｂ】
0005467175.tif 000003
【図２ａ】
0005467175.tif 000004
【図２ｂ】
0005467175.tif 000005
【図２ｃ】
0005467175.tif 000006
【図３ａ】
0005467175.tif 000007
【図３ｂ】
0005467175.tif 000008
【図４ａ】
0005467175.tif 000009
【図４ｂ】
0005467175.tif 000010
【図４ｃ】
0005467175.tif 000011
【図５】
0005467175.tif 000012